(57)【要約】  ＰＮＤには、相互作用するソフトウェアにより音楽設定メニューのショートカットが音楽メニュー表示手段内に提供される。ある実施形態においては、ＰＮＤは、ディスプレイと、メモリと、プロセッシングケーパビリティと、１又は複数のスピーカと、信号受信手段とを具備し、前記信号受信手段を用いて前記ポータブルナビゲーション装置にインストールされたソフトウェアによって当該装置のおおよその位置をグローバルに判定できる旨記載されている。ＰＮＤは、ナビゲーション及びルート計算の少なくともいずれかである１又は複数の第１の機能を実行するとともに、前記メモリに格納された可聴再生式のデジタルコンテンツを含む１又は複数の第２の機能を実行する。前記ソフトウェアは、ユーザによる種々の第１及び第２の装置動作オプションの設定が可能になるように、１又は複数の設定メニューを表示させる能力を有し、ルートナビゲーションの間に変化するグラフィカル地図情報を表示させる。本発明において、前記ソフトウェアは、前記グラフィカル地図情報の変化と同時に、ルートナビゲーションの間にユーザが選択可能なグラフィカル指示を前記画面上に表示する１つのオプションを更に提供する。ナビゲーションの間に前記指示が選択されると、前記ソフトウェアにデジタル音楽の前記再生に特有の設定メニューを表示させる。代替案の実施形態においては、前記音楽メニュー表示手段は、物理的なボタンを含む。前記物理的なボタンにより前記音楽再生、設定メニューの少なくともいずれかが１又は複数表示されうる。
2010518358.tif 000002
【特許請求の範囲】
【請求項１】
ポータブルナビゲーション装置であって、
ディスプレイと、メモリと、プロセッシングケーパビリティと、１又は複数のスピーカと、信号受信手段とを具備し、前記信号受信手段を用いて前記ポータブルナビゲーション装置にインストールされたソフトウェアによって当該装置のおおよその位置をグローバルに判定でき、
ナビゲーション及びルート計算の少なくともいずれかである１又は複数の第１の機能を実行するとともに、前記メモリに格納された可聴再生式のデジタルコンテンツを含む１又は複数の第２の機能を実行し、
前記ソフトウェアは、
ユーザによる種々の装置動作オプションの設定が可能になるように、１又は複数の設定メニューを表示させる能力を有し、ルートナビゲーションの間に変化するグラフィカル地図情報を表示させ、
前記グラフィカル地図情報の変化と同時に、ルートナビゲーションの間にユーザが選択可能なグラフィカル指示を前記画面上に表示するオプションを提供し、ナビゲーションの間に前記指示が選択されると、前記ソフトウェアにデジタル音楽の前記再生に特有の設定メニューを表示させる
ことを特徴とするポータブルナビゲーション装置。
【請求項２】
前記指示は、
少なくとも１又は複数、好ましくは３つのデジタル音楽ファイルが前記装置の前記メモリ内に格納されていること、
専用のデジタル音楽再生装置が前記ポータブルナビゲーション装置に接続されていること、
前記ソフトウェアが現在、ナビゲーション機能又はガイダンス機能を実行し、前記デジタル音楽ファイルの１つが同時に再生されていること、
の少なくとも１つが真である場合にのみ表示される
ことを特徴とする請求項１記載のポータブルナビゲーション装置。
【請求項３】
前記ユーザが選択可能なグラフィカル指示は、音符（musical note）の指示である
ことを特徴とする請求項１又は２記載のポータブルナビゲーション装置。
【請求項４】
前記指示は、少なくとも一部が透過している
ことを特徴とする請求項１から３いずれか１項に記載のポータブルナビゲーション装置。
【請求項５】
前記指示のユーザ選択は、
前記ディスプレイをタッチすることにより達成され、
前記動作は、
前記指示が表示される領域内にデジタル音楽の再生に特有である第１及び第２の設定メニューのいずれかを表示させ、前記第１の設定メニューは、指示選択時にデジタル音楽ファイルが再生されている場合に表示され、前記第２の設定メニューは、前記指示選択時にデジタル音楽ファイルが再生されていない場合に表示される
ことを特徴とする請求項１から４いずれか１項に記載のポータブルナビゲーション装置。
【請求項６】
前記第１の設定メニューは、
１つであり、１又は複数のユーザが選択可能なオブションとともに現在再生されている音楽ファイルに関する情報を含み、
前記第２の設定メニューは、
１又は複数のデジタル音楽ファイルが迅速に再生されるべく選択されるようになっているユーザが選択可能な１又は複数のオプションを含む
ことを特徴とする請求項５記載のポータブルナビゲーション装置。
【請求項７】
前記第１の設定メニューは、
選択された場合にプリファランスメニューの表示を行なうユーザが選択可能なオプションボタンを含み、
前記プリファランスメニューには、
前記ポータブルナビゲーション装置により提供される前記デジタル音楽再生設備に関する種々のプリファランスが表示される
ことを特徴とする請求項５又は６記載のポータブルナビゲーション装置。
【請求項８】
前記プリファランスメニューは、
１つのオプションボタンを含み、
ナビゲーション又はルートガイダンスの間に、前記ディスプレイ上にグラフィカル指示を表示するか否かを前記ユーザが前記オプションボタンにより選択できる
ことを特徴とする請求項７記載のポータブルナビゲーション装置。
【請求項９】
ポータブルナビゲーション装置であって、
ディスプレイと、メモリと、プロセッシングケーパビリティと、１又は複数のスピーカと、信号受信手段とを具備し、前記信号受信手段を用いて前記ポータブルナビゲーション装置にインストールされたソフトウェアによって当該装置のおおよその位置をグローバルに判定でき、
ナビゲーション及びルート計算の少なくともいずれかである１又は複数の第１の機能を実行するとともに、前記メモリに格納された可聴再生式のデジタルコンテンツを含む１又は複数の第２の機能を実行し、
前記ソフトウェアは、
ユーザによる種々の装置動作オプションの設定が可能になるように、１又は複数の設定メニューを表示させる能力を有し、ルートナビゲーションの間に変化するグラフィカル地図情報を表示させ、
前記ポータブルナビゲーション装置は、
前記ソフトウェアと情報を授受する音楽メニューのショートカット手段を提供し、
前記ショートカット手段は、
デジタル音楽の前記再生に特有の設定メニューを直ちに表示させる
ことを特徴とするポータブルナビゲーション装置。
【請求項１０】
前記音楽メニューのショートカット手段は、
前記ポータブルナビゲーション装置の外部に設けられた物理的なコントロール部材である
ことを特徴とする請求項９記載のポータブルナビゲーション装置。
【請求項１１】
請求項１から１０いずれか１項に記載のポータブルナビゲーション装置を動作させる方法。
【発明の詳細な説明】
【技術分野】
【０００１】
本発明は、ポータブルナビゲーション装置に関する改善されたインターフェースに関わる。
【背景技術】
【０００２】
車載用のポータブルナビゲーション装置（ＰＮＤｓ）は、幅広く知られている。それら装置は、一体化又はインストールされたナビゲーションシステムのファクトリに存在しており、それら装置が有するポータビリティ性を第１の起因として多くの利点を有する。ポータブルナビゲーション装置は、パーソナルコンピュータに容易に接続され、更新される。これにより、機能改善される他、ユーザ所望の装置として再構成される。
【０００３】
近年のＰＮＤｓは、重要な処理電源やメモリを備えている。後者のメモリには、オンボードＲＡＭ及びＲＯＭのいずれか一方や、例えば、ＳＤ（登録商標）、コンパクトフラッシュ（登録商標）、メモリスティック等の独自に開発された種々の多様なユビキタスメモリカードのような内蔵又は取り外し可能な物理ストレージが提供される。これらの強化は、デジタル化されたビデオ、音楽、フォーマットの異なるその他コンテンツ等のようなユーザが更新した大量のマテリアルにＰＮＤｓを対応させる。なお、音楽は主に、ｍｐ３形式である。
【０００４】
そのため、近年ますます、ＰＮＤｓ等のオペレーティングソフトウェアは、装置の一部として提供されたスピーカ、又はＰＮＤｓと通信するリモートオーディオ装置のいずれかを介して上述したマテリアル、特に音楽の再生が容易になるようにされている。ＰＮＤは、ストリームができ、また、それ以外にも、デジタルコンテンツを当該リモートオーディオ装置に送信できる。特に、現在のＰＮＤソフトウェアは、ジュークボックス設備を含むため、ユーザは、ユーザのローカルに格納されたデジタル音楽トラックの再生の方法を制御できる。一般に、ジュークボックス設備の機能は、ユーザの選択によってＰＮＤのオペレーティングソフトウェアにより表示された”プリファランス（preference）”メニュー画面を介して制御されるであろう。そのようなプリファランスは、ｍｐ３等のデジタル音楽の編成や分類を容易にする。例えば、アーティスト、アルバム、ジャンルのいずれかより設定されたユーザのプレイリスト、又はＰＮＤ上のローカルに格納されたファイルである個々のデジタルトラックを単純に選択することにより設定されたユーザのプレイリストを用いて、複数の種々の手段のいずれかにより再生対象となる音楽が最終的に選択される。
【０００５】
勿論、そのような設備は、ユーザが任意のデジタルコンテンツをＰＮＤ装置上に更新していない場合や、ｉＰｏｄ（登録商標）又はその他の適切に使用可能な装置等のようなデジタル音楽（又は他のコンテンツ）再生装置にＰＮＤ装置が接続されていない場合には無効になる。
【発明の概要】
【発明が解決しようとする課題】
【０００６】
本発明は、ナビゲーション装置とデジタル音楽プレイヤー装置との両方の役割を果たすＰＮＤ装置において、その装置の強化された機能の使用をユーザが所望する場合に、当該装置の動作を改善できるようにした手段を提供することを目的とする。
【課題を解決するための手段】
【０００７】
本発明によれば、ＰＮＤが提供される。ＰＮＤは、ディスプレイと、メモリと、プロセッシングケーパビリティと、１又は複数のスピーカと、信号受信手段とを具備し、前記信号受信手段を用いて前記ポータブルナビゲーション装置にインストールされたソフトウェアによって当該装置のおおよその位置をグローバルに判定できる。ＰＮＤは、ナビゲーション及びルート計算の少なくともいずれかである１又は複数の第１の機能を実行するとともに、前記メモリに格納された可聴再生式のデジタルコンテンツを含む１又は複数の第２の機能を実行する。前記ソフトウェアは、ユーザによる種々の装置動作オプションの設定が可能になるように、１又は複数の設定メニューを表示させる能力を有し、ルートナビゲーションの間に変化するグラフィカル地図情報を表示させ、前記グラフィカル地図情報の変化と同時に、ルートナビゲーションの間にユーザが選択可能なグラフィカル指示を前記画面上に表示するオプションを提供し、ナビゲーションの間に前記指示が選択されると、前記ソフトウェアにデジタル音楽の前記再生に特有の設定メニューを表示させる。
【０００８】
好ましくは、前記指示は、少なくとも１又は複数、好ましくは３つのデジタル音楽ファイルが前記装置の前記メモリ内に格納されていること、ｉＰｏｄ（登録商標）等の専用のデジタル音楽再生装置が物理的、無線、それ以外のいずれかにより前記ＰＮＤに接続されていること、前記ソフトウェアが現在、ナビゲーション機能又はガイダンス機能を実行し、前記デジタル音楽ファイルの１つが同時に再生されていること、の少なくとも１つが真である場合にのみ表示される。
【０００９】
好適な実施形態においては、前記ユーザが選択可能なグラフィック指示は、四分音符、８分音符、又はそれらの複合的なもののいずれか等である音符（musical note）の指示である。
【００１０】
最も好適な実施形態においては、前記指示は、前記グラフィカル地図情報上に重ね合わされる。好ましくは、地図情報の真下が全体的に不明瞭ではなく顕われるように、前記指示の少なくとも一部が透過している。
【００１１】
最も好ましくは、前記指示のユーザ選択は、前記ディスプレイをタッチすることにより達成され、前記動作は、前記指示が表示される領域内にデジタル音楽の再生に特有である第１及び第２の設定メニューのいずれかを表示させ、前記第１の設定メニューは、指示選択時にデジタル音楽ファイルが再生されている場合に表示され、前記第２の設定メニューは、前記指示選択時にデジタル音楽ファイルが再生されていない場合に表示される。
【００１２】
最も好ましくは、前記第１の設定メニューは、１つであり、１又は複数のユーザが選択可能なオブションとともに現在再生されている音楽ファイルに関する情報を含み、前記第２の設定メニューは、１又は複数のデジタル音楽ファイルが迅速に再生されるべく選択されるようになっているユーザが選択可能な１又は複数のオプションを含む。
【００１３】
最も好ましくは、前記第１の設定メニューは、選択された場合にプリファランスメニューの表示を行なうユーザが選択可能なオプションボタンを含み、前記プリファランスメニューには、前記ＰＮＤ装置により提供される前記ジュークボックス設備に関する種々のプリファランスが表示される。第１の設定メニューは、変更されうる。最も好ましくは、前記プリファランスメニューは、１つのオプションボタンを含み、ナビゲーション又はルートガイダンスの間に、前記ディスプレイ上にグラフィカル指示を表示するか否かを前記ユーザが前記オプションボタンにより選択できる。
【００１４】
課題を解決するために、デジタル音楽再生は、表現された音楽を視聴できるようにするため、ＭＰＥＧ（motion picture experts group）、ウィンドウズ・メディア・フォーマット、リアル・オーディオ・スペシフィケーション等の複数の基準の内のいずれかひとつに一致させるデジタル音楽ファイルの処理を含む。しかし、最も好ましくは、デジタル音楽ファイルは、”ｍｐ３”ファイルであり、それらをＰＮＤにおいて再生した結果、ユーザは、自身のＰＮＤを介して音楽を視聴できる。更に、明細書内に使用される用語”メモリ”は、ソリッド・ステート・メモリや物理ハード・ドライブ、フラッシュメモリ、ＲＡＭ、ＲＯＭ等の種々の形式のメモリを包含する意図がある。これらは内蔵、取り外し可能、置換可能、恒久的（permanent）、のいずれか又はそれらの組み合わせのいずれであってもよい。この特徴の組み合わせは、ＰＮＤの有用性を強化し、これにより、ユーザへ多くの魅力を訴えることができる。
【図面の簡単な説明】
【００１５】
【図１】本発明の機能性をデモするポータブルナビゲーション装置（ＰＮＤ）の表示を示す種々のスクリーンショットである。
【図２】本発明の機能性をデモするポータブルナビゲーション装置（ＰＮＤ）の表示を示す種々のスクリーンショットである。
【図３】本発明の機能性をデモするポータブルナビゲーション装置（ＰＮＤ）の表示を示す種々のスクリーンショットである。
【図４】本発明の機能性をデモするポータブルナビゲーション装置（ＰＮＤ）の表示を示す種々のスクリーンショットである。
【図５】本発明の機能性をデモするポータブルナビゲーション装置（ＰＮＤ）の表示を示す種々のスクリーンショットである。
【図６】本発明の機能性をデモするポータブルナビゲーション装置（ＰＮＤ）の表示を示す種々のスクリーンショットである。
【図７】本発明の機能性をデモするポータブルナビゲーション装置（ＰＮＤ）の表示を示す種々のスクリーンショットである。
【発明を実施するための形態】
【００１６】
まず、図１を参照すると、本実施形態に係わる適切に使用可能且つ機能強化されたＰＮＤ装置の表示のスクリーンショット２が示される。
参照されるように、ＰＮＤ装置によるルートナビゲーションが実行されている間にスクリーンショットが撮られており、装置の現在の位置がグラフィカル矢印４により指し示されている。矢印４は、グラフィカルに描写された地図情報６上に重ね合わされている。地図情報６は、ルートナビゲーションされるルートに沿った種々の道路や、所望ルートの周辺に位置する他の道路を示している。
【００１７】
更に、グラフィカル指示８は、２つの８分音符によって音楽を示し、グラフィカル地図情報に重ね合わされている。このグラフィカル指示８は、ユーザの選択に利用される。勿論、ＰＮＤの表示全体がタッチ接触可能であり、ＰＮＤの動作を制御するソフトウェアは、画面内の指示８の周辺がタッチされた場合にそれを認識するようにプログラムされている。画面上の他の領域でそのような動作の各々が行なわれると、理想的には、種々の情報、メニュー、構成／動作オプションのいずれかの一連表示が行なわれる。
【００１８】
ここで、図２を参照すると、より最新のＰＮＤｓに備わるジュークボックス機能のスクリーンショットのデモが更に示される。スクリーンショット１０内のデジタル音楽ファイル又はトラックは、ＰＮＤ装置により処理されており、その結果として音楽は、ＰＮＤのスピーカを介して可聴可能に表現されている。参照されるように、ユーザの所望通りに動作しうるスライダーコントロール１２が設けられる。また同様に、種々のタイトル、アーティスト、アルバム、その他情報１４も設けられる。また、トラックの再生は、従来通り、再生コントロール、巻き戻しコントロール、早送りコントロール１６を用いて制御されうる。戻るボタン１８が設けられ、当該ボタンが選択されると、典型的には、図１に示す画面（すなわち、以前の画面）の表示に戻される。オプションボタン２０は、プリファランスメニュー２２を表示させる。プリファランスメニュー２２には、複数のプリファランス２４が表示される。特に、”地図上への音楽ボタンの追加”２４Ａのオプションがあり、このボタンが選択されると、図１に示すように指示８が表示されるであろう。
【００１９】
図３において、プリファランスメニュー２２は、上位の一般的なプリファランスメニュー２８内に表示された”音楽プリファランス”ボタン２６の選択により表示される。当該メニュー２８内に表示された他のボタンは、ＰＮＤの機能及び動作に関する音楽でない他の種々のものにアクセスするためのものである。上述したように、本実施形態は、基本的に、任意の一般的なメニューから音楽メニューが選択されると、当該任意の一般的なメニューの表示を除外する点を利点としている。
【００２０】
図４においては、表示された情報が、ＰＮＤ装置により現在再生されている音楽トラックを示し、スクリーンショットが、図２に示す一般的なスクリーンショット１０の特定の例を示していることが明らかである。
【００２１】
図５において、スクリーンショット３０は、図１のスクリーンショットと同様である。指示アイコン８が部分的に透過して示される。これは、グラフィカル地図情報の真下が不明瞭にならないようにするためである。また、この図は、音楽アイコン８が選択されると、トラック再生画面１０が即座に表示されることをデモしている。これとは逆に、メニュー画面の階層カスケード表示がユーザに示され、最終的に、ユーザがこの画面１０を導くようにしてもよい。
【００２２】
好適な実施形態においては、図５内のデモに示されるトラック再生画面１０の表示は、トラックがＰＮＤ装置において現在再生又はプレイバックされている間にのみ影響する。トラックが再生又はプレイバックされていない場合、図６に示すように、ユーザがグラフィカル指示を選択すると、種々のメニュー画面３２が表示されるであろう。画面３２においては、種々のトラックの選択やプレイバックオプション等の豊富な情報がユーザに示される。ＰＮＤ装置に格納された任意のデジタル音楽トラックは、ユーザが生成したプレイリスト３４の一部として選択可能になっている。なお、プレイリスト３４は、アーティスト名３６、個々のトラック名、ジャンル４０、アルバムにリリースされた特定のトラックのいずれかにより生成される。
【００２３】
図７に示すとりわけ好適な実施形態においては、スクリーンショット５０は、ルートナビゲーションの間に示される。また、現在の位置は、グラフィカル地図情報５４に重ね合わされたカーアイコン５２により示されている。音楽指示８が設けられ、好ましくは、１又は複数の更なる指示５６及び５８が追加して表示される。この指示５６及び５８は、特定のメニュー画面へのメニューショートカットを提供する。特定のメニュー画面は、概して、指示が表示されることにより表現又は提案されるといえる。例えば、指示５６は、電話であり、これが選択されると、ＰＮＤと携帯電話（不図示）の間の対話に関する設定メニューが自動的に表示され、すなわち、例えば、他の適切なメニュー画面は、通常、従来のソフトウェアによりプログラムされたＰＮＤ装置のメニュー構造を介してユーザにナビゲートされた場合にのみ表示されるであろう。指示５８は、スパナのアイコンを含み、上記同様に、装置設定メニューへのメニューショートカットを提供するであろう。
【００２４】
ＰＮＤの動作の方法は、上記に特定された種々の方法ステップを含む。また、請求項においては、コンピュータプログラムとしての出願も範囲内に意図される。
【図１】
2010518358.tif 000003
【図２】
2010518358.tif 000004
【図３】
2010518358.tif 000005
【図４】
2010518358.tif 000006
【図５】
2010518358.tif 000007
【図６】
2010518358.tif 000008
【図７】
2010518358.tif 000009
【国際調査報告】
2010518358.tif 000010
2010518358.tif 000011